(57)【要約】  複数の導光体（２ａ〜２ｆ）と各導光体に光を供給する発光体（３ａ〜３ｆ）とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、各導光体は、他の導光体が乗り上げる上記厚い方の端部に、幅方向に凹んだ固定部（８ａ〜８ｆ・９ａ〜９ｆ）を備える。こうすれば、楔形状の導光体をタンデム配置する光源装置において、各導光体の位置ズレを抑制することができる。
2008050509.tif 000002
【特許請求の範囲】
【請求項１】
複数の導光体と各導光体に光を供給する発光体とを備え、各導光体が、一端から他端に至るに従って厚みが小さくなった楔形状を有するとともに各導光体の厚い方の端部に他の導光体の薄い方の端部が乗り上げるようにタンデム配置された光源装置であって、
各導光体は、他の導光体が乗り上げる上記厚い方の端部に、幅方向に凹んだ固定部を備えることを特徴とする光源装置。
【請求項２】
上記発光体および導光体を収容するハウジングを備え、
該ハウジングに、上記固定部と係合する凸部が設けられていることを特徴とする請求項１記載の光源装置。
【請求項３】
上記凸部が光透過特性あるいは光反射特性を有することを特徴とする請求項２記載の光源装置。
【請求項４】
上記凸部は、上記厚い方の端部の側面に接するリブであることを特徴とする請求項２記載の光源装置。
【請求項５】
上記凸部は、上記厚い方の端部の表面および側面に接する爪であることを特徴とする請求項２記載の光源装置。
【請求項６】
複数の導光体と各導光体に光を供給する発光体とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、
各導光体は、他の導光体が乗り上げる厚い方の端部に、固定用部材を備えることを特徴とする光源装置。
【請求項７】
上記固定用部材は、上記端部の裏面側から突出する凸部であることを特徴とする請求項６記載の光源装置。
【請求項８】
上記発光体および導光体を収容するハウジングを備え、
該ハウジングに、上記凸部と嵌合する凹部が設けられていることを特徴とする請求項７記載の光源装置。
【請求項９】
上記凸部が光透過特性あるいは光反射特性を有することを特徴とする請求項７記載の光源装置。
【請求項１０】
上記固定用部材は、上記端部の一方の側面から突出する凸部であることを特徴とする請求項７記載の光源装置。
【請求項１１】
タンデム配置された複数の導光体からなる列を複数備え、
各導光体は、上記端部のもう一方の側面に、隣り合う導光体の上記凸部と嵌合する凹部を備えることを特徴とする請求項１０記載の光源装置。
【請求項１２】
複数の導光体と各導光体に光を供給する発光体とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、
各導光体は、他の導光体が乗り上げる上記厚い方の端部の裏面側に、固定用の凹部を備えることを特徴とする光源装置。
【請求項１３】
上記発光体および導光体を収容するハウジングを備え、
該ハウジングは、上記凹部と嵌合する凸部を備えていることを特徴とする請求項１２記載の光源装置。
【請求項１４】
タンデム配置された複数の導光体からなる列を複数備えていることを特徴とする請求項１、６、１２のいずれか１項に記載の光源装置。
【請求項１５】
各導光体は、他の導光体が乗り上げる上記厚い方の端部の表面側に、連結用穴部を備えることを特徴とする請求項１、６、１２のいずれか１項に記載の光源装置。
【請求項１６】
各導光体は、他の導光体に乗り上げる上記薄い方の端部の裏面側に、上記連結用穴部と嵌合する連結用リブを備えることを特徴とする請求項１５記載の光源装置。
【請求項１７】
複数の導光体と、各導光体に光を供給する発光体と、これらを収容するハウジングとを備え、各導光体が、一端から他端に至るに従って厚みが小さくなった楔形状を有するとともに各導光体の厚い方の端部に他の導光体の薄い方の端部が乗り上げるようにタンデム配置された光源装置であって、
タンデム配置された複数の導光体からなる列が行方向に並べられ、行方向に隣り合う２つの導光体の一方における厚い方の端部に設けられた行方向の凹みと他方における厚い方の端部に設けられた行方向の凹みとが互いに向かい合うとともに、これら２つの凹みが、上記ハウジングに設けられた凸部に係合されていることを特徴とする光源装置。
【請求項１８】
複数の導光体と、各導光体に光を供給する発光体と、これらを収容するハウジングとを備え、各導光体が、一端から他端に至るに従って厚みが小さくなった楔形状を有するとともに各導光体の厚い方の端部に他の導光体の薄い方の端部が乗り上げるようにタンデム配置された光源装置であって、
各導光体の厚い方の端部には、該端部に乗り上げる他の導光体と近接する面の反対側の面に凹部が設けられるとともに、この凹部と上記ハウジングに設けられた凸部とが嵌合されているか、あるいは、各導光体の厚い方の端部には、該端部に乗り上げる他の導光体と近接する面の反対側の面から突出した凸部が設けられるとともに、この凸部と上記ハウジングに設けられた凹部とが嵌合されていることを特徴とする光源装置。
【請求項１９】
請求項１〜１８記載のいずれか１項に記載の光源装置を備えることを特徴とするバックライト装置。
【請求項２０】
請求項１９記載のバックライト装置を備えることを特徴とする液晶表示装置。
【発明の詳細な説明】
【技術分野】
【０００１】
本発明は、液晶表示装置等に用いられる光源明装置に関する。
【背景技術】
【０００２】
液晶表示装置のバックライト等に用いる光源装置の１つとして、発光体と導光体によって面光源を実現する構成が知られている。また、この構成における面光源の大型化を実現するものとして、例えば特許文献１には、楔形状の導光体をタンデム配置し、導光体ごとに冷陰極管等の発光体を設ける手法が開示されている。これを図２０〜２２に示す。【０００３】
図２０に示すように、光源装置１０１は、一次光源（冷陰極管）Ｌ１・Ｌ２と、一次光の供給方向に沿ってタンデム配列された第１および第２段目の導光ブロックＢＬ１・ＢＬ２とを備える。なお、図示しないが、出射面１１５・１２５に沿って一枚の両面プリズムシートが配置される。各導光ブロックＢＬ１・ＢＬ２の一方の端面は入射端面１１２・１２２とされ、一次光源Ｌ１・Ｌ２から一次光の供給を受ける。【０００４】
各導光ブロックＢＬ１・ＢＬ２は、入射端面１１２・１２２から先端部１１７・１２７に向かって厚さが減少するような構成となっており、これによって、導光ブロックＢＬ１の先端部１１７の背面側には、凹所が形成される。この凹所は、導光ブロックＢＬ２へ一次光を供給する２段目の一次光源Ｌ２の配置に利用される。なお、第１段目の一次光源Ｌ１は入射端面１１２に沿って配置される。【０００５】
タンデム配列された導光ブロックＢＬ１・ＢＬ２、一次光源Ｌ１・Ｌ２およびプリズムシート（図示せず）は、図２１に示すように、組立体の状態でハウジング（ケース）１５０に収容される。ハウジング１５０は、矩形のフレーム１５５を有し、その内側に一次光源設置部１５１・１５２と導光ブロック設置部１５３・１５４とを備える。一次光源設置部１５１、１５２は、導光ブロックＢＬ１・ＢＬ２の背面１１６・１２６の傾斜に整合した斜面を有し、該斜面が反射面とされる。また、フレーム１５５の（タンデム方向であるｙ方向に沿う）２つの内壁Ｅ１・Ｅ２には、ハウジング１５０に収容する導光ブロックＢＬ１・ＢＬ２を固定するための固定爪１５６が設けられる。【０００６】
この光源装置においては、一次光源Ｌ１から導光ブロックＢＬ１内に導入された光は、散乱作用と反射作用を受けながら肉薄側の先端部１１７に向けて導光される。この過程で、照明光が徐々に出射面１１５から斜め前方に優先的に出射される。この斜め前方に出射された光は、両面プリズムシートによって、２次元的に正面方向に向けて方向修正される。なお、図示していないが、第１段目の導光ブロックＢＬ１と第２段目の一次光源Ｌ２の間には反射体が存在し、一次光源Ｌ２から導光ブロックＢＬ１への直接的な光供給は行われないようになっている。
【特許文献１】特開平１１−２８８６１１号公報（１９９９年１０月１９日公開）
【発明の開示】
【０００７】
しかしながら、図２０・２１の構成では、フレーム１５５のｙ方向に沿う２つの内壁Ｅ１・Ｅ２に設けられた固定爪１５６によって各導光ブロックを固定しているため、図２２のように導光ブロックＢＬ１〜ＢＬ６を縦横（２×３）に並べたときには、導光ブロックＢＬ２および導光ブロックＢＬ５は固定されないため、導光ブロックの幅方向（図中ｘ方向）に位置ズレしやすくなる。仮に、ｘ方向に沿う内壁Ｅ３・Ｅ４に爪を設けても同様の問題がある。また、組み立て工程における各導光ブロックの位置決めを行いにくいという問題がある。
【０００８】
そして、各導光ブロックの位置関係がばらつくと導光ブロック間の隙間が異なることになり、面光源である光源装置に光学的なばらつきが発生してしまう。
【０００９】
本発明は上記課題に鑑みてなされたものであり、その目的は、楔形状の導光体をタンデム配置する光源装置において、各導光体の位置ズレを抑制しうる構成を提供する点にある。
【００１０】
本発明の光源装置は、複数の導光体と各導光体に光を供給する発光体とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、各導光体は、他の導光体が乗り上げる上記厚い方の端部に、幅方向に凹んだ固定部を備えることを特徴とする。
【００１１】
上記構成では、各導光体の固定部となる凹みは、他の導光体が乗り上げている部分に形成されるため、該導光体の光出射量にはほぼ影響しない。すなわち、上記構成によれば、上記各固定部をハウジング等に設けられた凸部に嵌合させることで、導光体の光出射に影響を与えることなく導光体の位置ズレやがたつき等を抑制することができる。これにより、面光源における光学的なばらつきを低減することができる。また、ハウジング等に対する各導光体の位置決めも容易になる。
【００１２】
本光源装置は、上記発光体および導光体を収容するハウジングを備え、該ハウジングに、上記記固定部と係合する凸部が設けられている構成とすることができる。この場合、上記凸部が光透過特性あるいは光反射特性を有することが望ましい。こうすれば、凸部による光吸収がなくなるため、光の利用効率を高めることができる。
【００１３】
本光源装置においては、上記凸部は、上記厚い方の端部の側面に接するリブ（固定用リブ）であってもよいし、また、上記凸部は、上記厚い方の端部の表面および側面に接する爪（固定爪）であってもよい。
【００１４】
本発明の光源装置は、複数の導光体と各導光体に光を供給する発光体とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、各導光体は、他の導光体が乗り上げる厚い方の端部に、固定用部材を備えることを特徴とする。
【００１５】
上記構成では、固定用部材は、他の導光体が乗り上げている部分に形成されるため、該導光体の光出射量には影響しない。すなわち、上記構成によれば、上記固定用部材を、ハウジング等と嵌合させることで、導光体の光出射に影響を与えることなく導光体の位置ズレやがたつき等を抑制することができる。これにより、面光源における光学的なばらつきを低減することができる。また、ハウジング等に対する各導光体の位置決めも容易になる。
【００１６】
本光源装置においては、上記固定用部材は、上記端部の裏面側から突出する凸部である構成とすることができる。この場合、上記発光体および導光体を収容するハウジングを備え、該ハウジングに、上記凸部と嵌合する凹部が設けられていてもよい。さらに、上記凸部が光透過特性あるいは光反射特性を有することが望ましい。
【００１７】
本光源装置は、上記固定用部材が、上記端部の一方の側面から突出する凸部である構成とすることができる。この光源装置は、タンデム配置された複数の導光体からなる列を複数備え、各導光体が、上記端部のもう一方の側面に、隣り合う導光体の上記凸部と嵌合するような凹部を備える構成とすることも可能である。
【００１８】
本発明の光源装置は、複数の導光体と各導光体に光を供給する発光体とを備え、各導光体が一端から他端に至るに従って厚みが小さくなった楔形状を有するとともに、各導光体の厚い方の端部に他の導光体の薄い方の端部が乗り上げるようにタンデム配置された光源装置であって、各導光体は、他の導光体が乗り上げる上記厚い方の端部の裏面側に、固定用の穴部を備えることを特徴とする。
【００１９】
上記構成では、固定用の穴部は、他の導光体が乗り上げている部分に形成されるため、該導光体の光出射量には影響しない。すなわち、上記構成によれば、上記固定用の穴部をハウジング等に設けられた凸部と嵌合させることで、導光体の光出射に影響を与えることなく導光体の位置ズレやがたつき等を抑制することができる。これにより、面光源における光学的なばらつきを低減することができる。また、ハウジング等に対する各導光体の位置決めも容易になる。
【００２０】
本発明の光源装置は、上記発光体および導光体を収容するハウジングを備え、該ハウジングは、上記凹部と嵌合する凸部を備えている構成とすることもできる。
【００２１】
本発明の光源装置は、タンデム配置された複数の導光体からなる列を複数（複数列）備えている構成に好適である。
【００２２】
本光源装置は、各導光体が、他の導光体が乗り上げる上記厚い方の端部の表面側に、連結用穴部を備える構成とすることもできる。この場合、各導光体が、他の導光体に乗り上げる上記薄い方の端部の裏面側に連結用リブを備える構成とし、これら連結用穴部および連結用リブを嵌合させることで、タンデム方向に隣り合う導光体同士を固定することができる。
【００２３】
本発明の光源装置は、複数の導光体と、各導光体に光を供給する発光体と、これらを収容するハウジングとを備え、各導光体が、一端から他端に至るに従って厚みが小さくなった楔形状を有するとともに各導光体の厚い方の端部に他の導光体の薄い方の端部が乗り上げるようにタンデム配置された光源装置であって、タンデム配置された複数の導光体からなる列が行方向に並べられ、行方向に隣り合う２つの導光体の一方における厚い方の端部に設けられた行方向の凹みと他方における厚い方の端部に設けられた行方向の凹みとが互いに向かい合うとともに、これら２つの凹みが、上記ハウジングに設けられた凸部に係合されていることを特徴とする。
【００２４】
また、本発明の光源装置は、複数の導光体と、各導光体に光を供給する発光体と、これらを収容するハウジングとを備え、各導光体が、一端から他端に至るに従って厚みが小さくなった楔形状を有するとともに各導光体の厚い方の端部に他の導光体の薄い方の端部が乗り上げるようにタンデム配置された光源装置であって、各導光体の厚い方の端部には、該端部に乗り上げる他の導光体と近接する面の反対側の面に凹部が設けられるとともに、この凹部と上記ハウジングに設けられた凸部とが嵌合されているか、あるいは、各導光体の厚い方の端部には、該端部に乗り上げる他の導光体と近接する面の反対側の面から突出した凸部が設けられるとともに、この凸部と上記ハウジングに設けられた凹部とが嵌合されていることを特徴とする。
【００２５】
本発明のバックライト装置は、上記光源装置を備えることを特徴とする。このバックライト装置は、例えば液晶表示装置用として利用される。
【００２６】
また、本発明の液晶表示装置は、上記バックライト装置を備えることを特徴とする。
【００２７】
以上のように、本光源装置によれば、複数の導光体がタンデム配置された光源装置において、各導光体を他の導光体が乗り上げている部分にて固定できるため、導光体の光出射に影響を与えることなく、導光体の位置ズレやがたつき等を抑制することができる。これにより、面光源における光学的なばらつきを低減することができる。また、ハウジング等に対する各導光体の位置決めも容易になる。
【図面の簡単な説明】
【００２８】
【図１】実施の形態１に係るバックライト装置の構成を示す平面図である。
【図２】本実施の形態に係るバックライト装置の一部構成を示す断面図である。
【図３】導光体の構成を示す断面図である。
【図４】本液晶表示装置の構成を示す模式図である。
【図５】導光体の構成を示す平面図である。
【図６】実施の形態１に係る導光体と発光体の配置を示す平面図である。
【図７（ａ）】実施の形態１に係るバックライト装置の変形例を示す平面図である。
【図７（ｂ）】実施の形態１に係るバックライト装置の他の変形例を示す平面図である。
【図８（ａ）】実施の形態１に係るバックライト装置の変形例を示す平面図である。
【図８（ｂ）】実施の形態１に係るバックライト装置の他の変形例を示す平面図である。
【図９】実施の形態１に係るバックライト装置の変形例を示す平面図である。
【図１０】実施の形態２に係るバックライト装置の構成を示す平面図である。
【図１１】図１０のＡ−Ａ線による矢視断面図である。
【図１２】実施の形態２に係る導光体と発光体の配置を示す平面図である。
【図１３】実施の形態３に係るバックライト装置の構成を示す平面図である。
【図１４】実施の形態３に係る導光体と発光体の配置を示す平面図である。
【図１５】図１３のＡ−Ａ線による矢視断面図である。
【図１６】実施の形態４に係るバックライト装置の構成を示す平面図である。
【図１７】実施の形態４に係るバックライト装置の変形例を示す側面図である。
【図１８】実施の形態４に係るバックライト装置の他の変形例を示す側面図である。
【図１９】上記各実施の形態において、タンデム方向に隣り合う導光体同士を固定する構成例を示す断面図である。
【図２０】従来のバックライト装置における導光ブロックと発光体の配置を示す斜視図である。
【図２１】従来のバックライト装置の全体構成を示す斜視図である。
【図２２】従来のバックライト装置の変形例を示す平面図である。
【符号の説明】
【００２９】
１  液晶表示装置
２  導光体
３  発光体
７    リブ
８  ９  固定部
１７ａ〜１７ｆ  １８ａ〜１８ｆ  固定穴
１９  リブ
２７ａ〜２７ｆ  ２８ａ〜２８ｆ  リブ
３０・４０・５０・６０  バックライト（光源装置）
【発明を実施するための最良の形態】
【００３０】
本発明の実施の一形態を、図１〜図１９を用いて説明すれば、以下のとおりである。図４に示すように、本液晶表示装置１は液晶パネルと本バックライト装置とを備え、図示していないが、本バックライト装置は複数の導光体と、各導光体に対応する発光体と、ハウジング（ケース  シャーシ）とを備える。【００３１】
図２は、本バックライト装置の一部を示す断面図である。同図に示されるように、本バックライト装置においては、タンデム配置された導光体２ａ〜２ｃが１組とされ、各導光体（２ａ〜２ｃ）に対応して発光体（３ａ〜３ｃ）が設けられる。ここで、導光体２は、図２に示すように、一端（エッジＥ１）から他端（エッジＥ２）に至るに従って厚みが小さくなるような楔形状を有しており、各組において、導光体の厚い方の端部に他の導光体の薄い方の端部が乗り上げるようにタンデム配置される。この配置によって、導光体の厚い方の端近傍には、凹所が形成され、この凹所に、対応する発光体が配置される。例えば、導光体２ａの薄い方の端部ｍ１が導光体２ｂの厚い方の端部Ｍ２に乗り上げ、これによって形成される凹所H１に発光体３ｂが設けられ、また、導光体２ｂの薄い方の端部ｍ２が導光体２ｃの厚い方の端部Ｍ３に乗り上げ、これによって形成される凹所H２に発光体３ｃが設けられる。なお、発光体３ａは、導光体２ａの厚い方のエッジＥ１に沿って設けられる。【００３２】
導光体２は、アクリル樹脂等で形成されており、図３に示すように、その裏面（背面）には反射シート７０が設けられる。図示しないが、導光体２の表面にはプリズムシートを設置しても良いし、さらに、該プリズムシートと導光体２との間に拡散シートを設けてもよい。なお、反射シート７０は反射機能を有する板状部材で代替することもできる。また、導光体２をホールドするハウジングに反射機能を持たせるような構成も可能である。さらに、発光体３は反射機能を有するカバーＲで覆われている。これにより、発光体３から導光体２の厚い方の一端（エッジＥ１）に導入された光は、散乱作用と反射作用を受けながら導光体における薄い方の他端（エッジＥ２）に向けて導光される。この過程で導光体表面５５から光が出射され、これによって面光源が実現される。【００３３】
〔実施の形態１〕
図１は、実施の形態１に係るバックライト装置の構成を示す平面図である。図１に示すように、本バックライト装置３０は、導光体２（２ａ〜２ｆ）と、発光体３（３ａ〜３ｆ）と、リブ７（固定用リブ  ７Ａ〜７Ｉ）が設けられたハウジング４とを備える。【００３４】
図６に、本バックライト装置における導光体および発光体の配置を示す。同図に示されるように、バックライト装置３０においては、図中縦方向にタンデム配置された導光体２ａ〜２ｃおよび導光体２ｄ〜２ｆがそれぞれ組とされて横方向に並べられ、さらに各導光体（２ａ〜２ｆ）に対応して発光体（３ａ〜３ｆ）が設けられる。図２は図１のＡ−Ａ線による線矢視断面図である。同図に示すように、導光体２は、一端（エッジＥ１）から他端（エッジＥ２）に至るに従って厚みが小さくなるような楔形状を有しており、各組において、導光体の厚い方の端部Ｍに他の導光体の薄い方の端部ｍが乗り上げるようにタンデム配置される。この配置によって、導光体の厚い方の端近傍には、凹所Ｈが形成され、この凹所に、対応する発光体が配置される。【００３５】
例えば、導光体２ａの薄い方の端部ｍ１が導光体２ｂの厚い方の端部Ｍ２に乗り上げ、これによって形成される凹所H１に発光体３ｂが設けられ、また、導光体２ｂの薄い方の端部ｍ２が導光体２ｃの厚い方の端部Ｍ３に乗り上げ、これによって形成される凹所H２に発光体３ｃが設けられる。なお、発光体３ａは、導光体２ａの厚い方のエッジＥ１に沿って設けられる。図示しないが、同様に、導光体２ｄの薄い方の端部が導光体２ｅの厚い方の端部に乗り上げ、これによって形成される凹所に発光体３ｅが設けられ、また、導光体２ｅの薄い方の端部が導光体２ｆの厚い方の端部に乗り上げ、これによって形成される凹所に発光体３ｆが設けられる。なお、発光体３ｄは、導光体２ｄの厚い方のエッジ（Ｅ１）に沿って設けられる。【００３６】
本実施の形態では、図５に示すように、各導光体２は、他の導光体が乗り上げる厚い方の端部Ｍの両側に、幅方向（図中矢印参照）に凹んだ固定部８・９を備えている。具体的には、図６に示すように、導光体２ａは、厚い方の端部の両側に、幅方向に凹んだ固定部８ａ・９ａを備え、導光体２ｂは、導光体２ａが乗り上げる厚い方の端部の両側に、幅方向に凹んだ固定部８ｂ・９ｂを備え、導光体２ｃは、導光体２ｂが乗り上げる厚い方の端部の両側に、幅方向に凹んだ固定部８ｃ・９ｃを備え、導光体２ｄは、厚い方の端部の両側に、幅方向に凹んだ固定部８ｄ・９ｄを備え、導光体２ｅは、導光体２ｄが乗り上げる厚い方の端部の両側に、幅方向に凹んだ固定部８ｅ・９ｅを備え、導光体２ｆは、導光体２ｅが乗り上げる厚い方の端部の両側に、幅方向に凹んだ固定部８ｆ・９ｆを備える。【００３７】
そして、図６および図１に示すように、各導光体２ａ〜２ｆは、リブ７Ａ〜７Ｉを備えたハウジング４に、固定部８ａ〜８ｃにリブ７Ａ〜７Ｃが嵌合し、固定部９ａおよび８ｄにリブ７Ｄが嵌合し、固定部９ｂおよび８ｅにリブ７Ｅが嵌合し、固定部９ｃおよび８ｆにリブ７Ｆが嵌合し、固定部９ｅ〜８ｆハウジング４のリブ７Ｇ〜７Ｉが嵌合するように、位置決めされ、固定される。これにより、各導光体２ａ〜２ｆの位置ズレ等やがたつきを抑制することができる。この効果は導光体の幅方向（図中矢印参照）について特に顕著である。【００３８】
ここで、導光体２ｂの固定部８ｂ・９ｂ、導光体２ｃの固定部８ｃ・９ｃ、導光体２ｅの固定部８ｅ・９ｅ、および導光体２ｆの固定部８ｆ・９ｆは、他の導光体が乗り上げている部分であるため、この部分が凹んでいても各導光体（２ｂ・２ｃ・２ｅ・２ｆ）の光出射量に影響はない。ただし、光の利用効率の観点からリブ７によって光吸収がなされない方がよい。そこで、リブ７に光透過性あるいは反射性をもたせることが望ましい。【００３９】
なお、図１（図５）の構成では固定部８・９の凹みが導光体のエッジまで至っているが、例えば、図７（ａ）（ｂ）のように、固定部８・９の凹みを、導光体２のエッジまで至らない等脚台形形状に形成するとともに、ハウジングのリブ７を六角形に構成しておき、上記の凹みとリブ７とを嵌合させてもよい。こうすれば、導光体の幅方向（図中ｘ方向）に加えて、タンデム方向（図中ｙ方向）についても、位置ズレ等やがたつきを抑制することができる。なお，固定部８・９の凹みを、導光体のエッジまで至らない長方形形状に形成するとともに、ハウジング４のリブをこれに合致する形状にすることもできる。【００４０】
さらに、図１の構成では、ハウジング４にリブ７Ａ〜７Ｉを設けているが、図８（ａ）（ｂ）に示すようにハウジング４に固定爪１３を設けておき、この固定爪１３と導光体２の固定部（８・９）とを係合させるような構成も可能である。こうすれば、光出射方向の位置ずれやがたつきを抑制することができる。この場合も、光の利用効率の観点から、固定爪１３によって光吸収がなされない方がよく、したがって、固定爪１３に光透過性あるいは反射性をもたせることが望ましい。【００４１】
固定部８・９の凹みが大きかったり複雑であったりして導光体自体が大きく変形すると光の利用効率が下がるおそれがある。そこで、図９に示すように、導光体２に設ける凹み（８・９）自体は小さくしておいて、そこにハウジングのリブあるいは固定爪の形状に合致するような固定部用部材１４を別途設けても構わない。【００４２】
なお、導光体の固定部は、他の導光体が乗り上げる部分（厚い方の端部）において幅方向に凹んだものであればどのような形状でもよく、また、その個数も任意である。例えば、導光体の一辺に複数の固定部を設けることもできる。また、ハウジングに設けられるリブ７（あるいは固定爪１３）の形状、材質、個数も任意であり、例えば、タンデム方向と直交する方向に隣り合う導光体同士を共通に固定（保持）するような構成であってもよい。また、ハウジングに設けられるリブ７（あるいは固定爪１３）は、ハウジングと一体形成されていてもよいし、接着やねじ止め等によってハウジングに取り付けられていてもよい。【００４３】
〔実施の形態２〕
図１０は、実施の形態２に係るバックライト装置の構成を示す平面図であり、図１１は、図１０のＡ−Ａ線による線矢視断面図であり、図１２は、本バックライト装置における導光体および発光体の配置を示す平面図である。図１１に示すように、本実施の形態においては、各導光体２が、他の導光体が乗り上げる厚い方の端部の裏面側に２つ固定穴１７・１８を有している。例えば、導光体２ａは、厚い方の端部の裏面側に固定穴１７ａ・１８ａを備え、導光体２ｂは、導光体２ａが乗り上げる厚い方の端部の裏面両側に固定穴１７ｂ・１８ｂを備え、導光体２ｃは、導光体２ｂが乗り上げる厚い方の端部の裏面側に固定穴１７ｃ・１８ｃを備え、導光体２ｄは、厚い方の端部の裏面側に固定穴１７ｄ・１８ｄを備え、導光体２ｅは、導光体２ｄが乗り上げる厚い方の端部の裏面側に固定穴１７ｅ・１８ｅを備え、導光体２ｆは、導光体２ｅが乗り上げる厚い方の端部の裏面側に固定穴１７ｆ・１８ｆを備える。【００４４】
そして、図１０〜図１２に示すように、各導光体２ａ〜２ｆは、リブ１９を備えたハウジング２４に、各固定穴１７・１８とリブ１９とが嵌合するように、位置決めされ、固定される。これにより、導光体の幅方向（図中ｘ方向）に加えて、タンデム方向（図中ｙ方向）についても、位置ズレ等やがたつきを抑制することができる。ここで、導光体２ｂの固定穴１７ｂ・１８ｂ、導光体２ｃの固定穴１７ｃ・１８ｃ、導光体２ｅの固定穴１７ｅ・１８ｅ、および導光体２ｆの固定穴１７ｆ・１８ｆは、他の導光体が乗り上げている部分に形成されているため、この部分に穴があっても各導光体（２ｂ・２ｃ・２ｅ・２ｆ）の光出射量に影響はない。【００４５】
なお、導光体の固定穴は、他の導光体が乗り上げる部分（厚い方の端部）の裏面側に設けられていればどのような形状でもよく、また、その個数も任意である。例えば、固定穴が導光体を貫通しないが導光体を保持できる程度の穴であってもよいし、導光体を貫通する穴であってもよい。また、導光体の一辺に複数の固定穴を設けることもできる。また、ハウジング２４に設けられるリブ１９の形状、材質、個数も任意である。また、リブ１９を固定爪にすることも可能である。【００４６】
〔実施の形態３〕
図１３は、本実施の形態に係るバックライト装置の構成を示す平面図であり、図１４は、本バックライト装置における導光体および発光体の配置を示す平面図であり、図１５は、図１３のＡ−Ａ線による線矢視断面図である。図１４に示すように、本バックライト装置５０は、各導光体２が、他の導光体が乗り上げる厚い方の端部の裏面側にリブ２７を有している。例えば、導光体２ａは、厚い方の端部の裏面側にリブ２７ａ・２８ａを備え、導光体２ｂは、導光体２ａが乗り上げる厚い方の端部の裏面両側にリブ２７ｂ・２８ｂを備え、導光体２ｃは、導光体２ｂが乗り上げる厚い方の端部の裏面側にリブ２７ｃ・２８ｃを備え、導光体２ｄは、厚い方の端部の裏面側にリブ２７ｄ・２８ｄを備え、導光体２ｅは、導光体２ｄが乗り上げる厚い方の端部の裏面側にリブ２７ｅ・２８ｅを備え、導光体２ｆは、導光体２ｅが乗り上げる厚い方の端部の裏面側にリブ２７ｆ・２８ｆを備える。【００４７】
そして、図１３〜１５に示すように、各導光体２ａ〜２ｆは、固定穴を備えたハウジング３４に、各固定穴とリブ２７・２８とが嵌合するように、位置決めされ、固定される。これにより、導光体の幅方向（図中ｘ方向）に加えて、タンデム方向（図中ｙ方向）についても、位置ズレ等やがたつきを抑制することができる。ここで、導光体２ｂのリブ２７ｂ・２８ｂ、導光体２ｃのリブ２７ｃ・２８ｃ、導光体２ｅのリブ２７ｅ・２８ｅ、および導光体２ｆのリブ２７ｆ・２８ｆは、他の導光体が乗り上げている部分に形成されているため、この部分に穴があっても各導光体（２ｂ・２ｃ・２ｅ・２ｆ）の光出射量に影響はない。ただ、光の利用効率の観点から、リブ２７・２８に光反射特性をもたせることが望ましい。【００４８】
なお、導光体のリブは、他の導光体が乗り上げる部分（厚い方の端部）の裏面側に設けられていればどのような形状でもよく、また、その個数も任意である。また、リブ２７・２８を固定爪にすることも可能である。また、ハウジング３４の固定穴はリブの形状に合わせた任意の形状（例えば、丸や四角）とすることができる。【００４９】
〔実施の形態４〕
図１６は、本実施の形態に係るバックライト装置の構成を示す平面図である。同図に示すように、本バックライト装置６０は、各導光体２が、他の導光体が乗り上げる厚い方の端部の一方側面に凸部４８を備えるとともに他方側面に凹部４７を有している。例えば、導光体２ａは、厚い方の端部の一方側面に凸部４８ａを備えるとともに他方側面に凹部４７ａを備え、導光体２ｂは、導光体２ａが乗り上げる厚い方の端部の一方側面に凹部４７ｂを備えるとともに他方側面に凸部４８ｂを備え、導光体２ｃは、導光体２ｂが乗り上げる厚い方の端部の一方側面に凹部４７ｃを備えるとともに他方側面に凸部４８ｃを備え、導光体２ｄは、厚い方の端部の一方側面に凹部４７ｄを備えるとともに他方側面に凸部４８ｄを備え、導光体２ｅは、導光体２ｄが乗り上げる厚い方の端部の一方側面に凹部４７ｅを備えるとともに他方側面に凸部４８ｅを備え、導光体２ｆは、導光体２ｅが乗り上げる厚い方の端部の一方側面に凹部４７ｆを備えるとともに他方側面に凸部４８ｆを備える。【００５０】
そして、図１６に示すように、各導光体２ａ〜２ｆは、それぞれが備える凸部４８と凹部４７とが嵌合するように、位置決めされ、ハウジング４４に固定される。これにより、導光体の幅方向（図中ｘ方向）に加えて、タンデム方向（図中ｙ方向）についても、位置ズレ等やがたつきを抑制することができる。ここで、導光体２ｂのリブ凸部４８ｂ・凹部４７ｂ、導光体２ｃの凸部４８ｃ・凹部４７ｃ、導光体２ｅのリブ凸部４８ｅ・凹部４７ｅ、および導光体２ｆの凸部４８ｆ・凹部４７ｆは、他の導光体が乗り上げている部分に形成されているため、この部分に穴があっても各導光体（２ｂ・２ｃ・２ｅ・２ｆ）の光出射量に影響はない。ただ、光の利用効率の観点から、凸部４８に光反射特性をもたせることが望ましい。【００５１】
なお、凸部４８は、他の導光体が乗り上げる部分（厚い方の端部）の側面に設けられていればどのような形状でもよく、また、その個数も任意である。例えば、図１７に示す（ａ）のように、凸部４８を、太いピン４８ｘ上に細いピン４８ｙを設けた２段階の出っ張り構造を有するボルト型にすることも可能である。こうすれば、隣り合う導光体同士を、間隔をあけて固定することができる。また、図１７に示す（ｂ）のように、ピン４８ｚ上の根元にワッシャ４８ｔを設けたボルト型にすることも可能である。また、導光体２の凸部４８を、図１８に示す（ａ）〜（ｃ）のように、直方体型や屋根型あるいはきのこ型とし、凹部４７をこれらに嵌合する形状とすることも可能である。【００５２】
なお、上記各実施の形態においては、図１９のように、各導光体２（例えば導光体２ｂ）が、他の導光体が乗り上げる厚い方の端部表面に連結用穴部６８を備えるとともに、薄い方の端部表面に連結用リブ６９を備えていてもよい。こうすれば、タンデム方向（図中ｙ方向）に隣り合う導光体同士を連結（固定）することができ、ｙ方向の位置ズレ等やがたつきを抑制することができる。なお、連結用穴部６８および連結用リブ６９についても、その形状や個数は任意である。【００５３】
また、上記各実施の形態においては、ハウジングが各導光体をホールドするような（導光体の背面や側面に沿うような）構造であってもよい。また、発光体３には、例えば、ＣＣＦＬ（冷陰極管）やＨＣＦＬ（熱陰極管）あるいはＬＥＤ（発光ダイオード）を用いることができる。【００５４】
なお、本発明は上述した実施の形態に限定されるものではなく、請求項に示した範囲で種々の変更が可能であり、実施の形態に開示された技術的手段を適宜組み合わせて得られる実施形態についても本発明の技術的範囲に含まれる。
【産業上の利用可能性】
【００５５】
本発明の光源装置は、例えば液晶表示装置に好適である。
【図１】
2008050509.tif 000003
【図２】
2008050509.tif 000004
【図３】
2008050509.tif 000005
【図４】
2008050509.tif 000006
【図５】
2008050509.tif 000007
【図６】
2008050509.tif 000008
【図７（ａ）】
2008050509.tif 000009
【図７（ｂ）】
2008050509.tif 000010
【図８（ａ）】
2008050509.tif 000011
【図８（ｂ）】
2008050509.tif 000012
【図９】
2008050509.tif 000013
【図１０】
2008050509.tif 000014
【図１１】
2008050509.tif 000015
【図１２】
2008050509.tif 000016
【図１３】
2008050509.tif 000017
【図１４】
2008050509.tif 000018
【図１５】
2008050509.tif 000019
【図１６】
2008050509.tif 000020
【図１７】
2008050509.tif 000021
【図１８】
2008050509.tif 000022
【図１９】
2008050509.tif 000023
【図２０】
2008050509.tif 000024
【図２１】
2008050509.tif 000025
【図２２】
2008050509.tif 000026
【国際調査報告】
2008050509.tif 000027
2008050509.tif 000028
2008050509.tif 000029
2008050509.tif 000030